(57)【要約】【課題】本発明は、個々の加湿装置に適切な排水動作を行うことができる加湿装置を得るものである。【解決手段】本発明に係る加湿装置１は、透湿膜が設けられた通風路を有し、該通風路に供給された空気を、該透湿膜を介して加湿する加湿素子２と、排水弁５ａを有し、該排水弁５ａを介して加湿素子２から水を排出する排水系５と、排水時間間隔と排水量とを設定する設定部７ａと、該設定された排水時間間隔に基づいて排水弁５ａを開状態にし、該設定された排水量に基づいて排水弁５ａを閉状態にする制御部７ｂと、を有する制御手段７と、を備え、設定部７ａは、排水時間間隔及び排水量の少なくともいずれか一方を更新するものである。【選択図】図１
2014085027.tif 000002
【特許請求の範囲】
【請求項１】
透湿膜が設けられた通風路を有し、該通風路に供給された空気を、該透湿膜を介して加湿する加湿素子と、
排水弁を有し、該排水弁を介して前記加湿素子から水を排出する排水系と、
排水時間間隔と排水量とを設定する設定部と、該設定された排水時間間隔に基づいて前記排水弁を開状態にし、該設定された排水量に基づいて前記排水弁を閉状態にする制御部と、を有する制御手段と、
を備え、
前記設定部は、前記排水時間間隔及び前記排水量の少なくともいずれか一方を更新する、
ことを特徴とする加湿装置。
【請求項２】
前記設定部は、前記排水量として排水時間を設定する、
ことを特徴とする請求項１に記載の加湿装置。
【請求項３】
前記制御手段は、選択部を有し、
前記設定部は、予め前記排水時間間隔と前記排水量との組み合わせを複数記憶し、前記選択部の選択に応じて、前記排水時間間隔及び前記排水量の少なくともいずれか一方を更新する、
ことを特徴とする請求項１又は２に記載の加湿装置。
【請求項４】
前記選択部は、スイッチである、
ことを特徴とする請求項３に記載の加湿装置。
【請求項５】
前記選択部は、装置の外部に設けられた、
ことを特徴とする請求項３又は４に記載の加湿装置。
【請求項６】
前記制御手段は、前記加湿素子の劣化度の大小を判定する判定部を有し、
前記設定部は、前記判定部で前記劣化度が大きいと判定された場合に、前記排水時間間隔を減少させること及び前記排水量を増加させることの少なくともいずれか一方を行う、
ことを特徴とする請求項１乃至５のいずれか一項に記載の加湿装置。
【請求項７】
前記設定部は、予め前記排水時間間隔と前記排水量との組み合わせを水の消費が少ない順にランク付けして記憶し、前記判定部で前記劣化度が大きいと判定された場合に、選択されているランクと比較して水の消費が多い側のランクを選択する、
ことを特徴とする請求項６に記載の加湿装置。
【請求項８】
加湿量を実測するための計測手段を備え、
前記判定部は、前記実測された加湿量を、加湿動作の積算時間毎に予め設定された基準加湿量と比較して、前記劣化度の大小を判定する、
ことを特徴とする請求項６又は７に記載の加湿装置。
【請求項９】
透湿膜が設けられた通風路を有し、該通風路に供給された空気を、該透湿膜を介して加湿する加湿素子と、排水弁を有し、該排水弁を介して前記加湿素子から水を排出する排水系と、を備えた加湿装置の制御方法であって、
排水時間間隔と排水量とを設定するステップと、
前記設定された排水時間間隔に基づいて、前記排水弁を開状態にするステップと、
前記設定された排水量に基づいて、前記排水弁を閉状態にするステップと、
を有し、
前記設定するステップは、前記排水時間間隔及び前記排水量の少なくともいずれか一方を更新する、
ことを特徴とする加湿装置の制御方法。
【発明の詳細な説明】
【技術分野】
【０００１】
本発明は、加湿装置、及び、その制御方法に関するものである。
【背景技術】
【０００２】
従来の加湿装置として、給水源（例えば、水道等）から加湿素子に水が供給され、加湿素子の通風路に供給された空気が、透湿膜（例えば、疎水性多孔質膜等）を介して加湿されるものがある。
透湿膜は、水の通過を許容せず、水蒸気の通過を許容する。
このような加湿装置では、供給された水に含まれるゴミ、スケール分（カルシウム分等）等が透湿膜を通過することがなく、通風路に供給された空気を汚染することなく加湿することができる。
【０００３】
一方、加湿素子に供給された水が排出されず、その水が長期間にわたって加湿素子内に貯留され続けると、ゴミ、スケール分等が透湿膜に付着して加湿性能が低下し、また、カビ、細菌等が繁殖して悪臭等が発生してしまう。
そのため、従来の加湿装置では、加湿素子に排水系が接続され、加湿動作が停止状態になった時点で、貯留された水が排出される排水動作が行われる（特許文献１参照）。
また、従来の加湿装置では、予め設定された時間間隔で加湿動作が強制的に停止状態になって、貯留された水が排出される排水動作が行われる（特許文献２参照）。
【先行技術文献】
【特許文献】
【０００４】
【特許文献１】特開平８−２４７５０９号公報（段落［００３１］−［００３６］）
【特許文献２】特開平１０−２８８３６２号公報（段落［００１９］−［００２４］）
【発明の概要】
【発明が解決しようとする課題】
【０００５】
排水動作の時間間隔が短い程、加湿性能の低下が抑制され、また、悪臭等の発生が抑制されるが、排水動作の回数の増加に伴って、水の消費が増加する。
また、１回の排水動作における排水量が多い程、加湿性能の低下が抑制され、また、悪臭等の発生が抑制されるが、排水量の増加に伴って、水の消費が増加する。
つまり、排水動作は、適切な時間間隔と排水量とで行われる必要がある。
【０００６】
しかし、従来の加湿装置のように、加湿動作が停止状態になった時点で排水動作が行われる場合には、加湿動作が、例えば、２４時間連続して運転する空気調和装置の暖房動作等と連動していると、加湿動作が長期間停止状態にならず、適切な時間間隔で排水動作が行われないという問題点があった。
【０００７】
また、加湿素子に供給される水の水質は、例えば地域等によって異なり、例えば、スケール分の濃度が高い水が加湿素子に供給される場合には、透湿膜に付着するスケール分が増加し、加湿性能の低下が促進される。
また、加湿動作中は、加湿素子に貯留された水の消費を補うべく、給水源から水が供給されるが、例えば、加湿動作の頻度が高い場合には、透湿膜に付着するスケール分が増加し、加湿性能の低下が促進される。
つまり、排水動作の適切な時間間隔と排水量とは、水質、加湿動作の頻度等に依存する。
【０００８】
しかし、従来の加湿装置のように、排水動作の時間間隔と排水量とが予め設定されてしまっている場合には、水質、加湿動作の頻度等の差が加味されず、個々の加湿装置に適切な排水動作が設定されないという問題点があった。
【０００９】
本発明は、上記のような課題を解決するためになされたもので、個々の加湿装置に適切な排水動作を行うことができる加湿装置を得るものである。
また、個々の加湿装置に適切な排水動作を行うことができる加湿装置の制御方法を得るものである。
【課題を解決するための手段】
【００１０】
本発明に係る加湿装置は、透湿膜が設けられた通風路を有し、該通風路に供給された空気を、該透湿膜を介して加湿する加湿素子と、排水弁を有し、該排水弁を介して前記加湿素子から水を排出する排水系と、排水時間間隔と排水量とを設定する設定部と、該設定された排水時間間隔に基づいて前記排水弁を開状態にし、該設定された排水量に基づいて前記排水弁を閉状態にする制御部と、を有する制御手段と、を備え、前記設定部は、前記排水時間間隔及び前記排水量の少なくともいずれか一方を更新するものである。
【発明の効果】
【００１１】
本発明に係る加湿装置は、排水時間間隔と排水量とを設定し、排水時間間隔及び排水量の少なくともいずれか一方を更新する設定部を有する制御手段を備えることで、個々の加湿装置に適切な排水動作を行うことができる。
【図面の簡単な説明】
【００１２】
【図１】本発明の実施の形態１に係る加湿装置の、構成を示す図である。
【図２】本発明の実施の形態１に係る加湿装置の、加湿素子周辺の構成を示す斜視図である。
【図３】本発明の実施の形態１に係る加湿装置の、加湿素子の加湿機能体の構成を示す図である。
【図４】本発明の実施の形態１に係る加湿装置の、切替スイッチの接点と、排水時間間隔と排水時間との組み合わせと、の対応関係を示す図である。
【図５】本発明の実施の形態１に係る加湿装置の、制御フローを示す図である。
【図６】本発明の実施の形態２に係る加湿装置の、構成を示す図である。
【図７】本発明の実施の形態２に係る加湿装置の、設定部に記憶されたデータを示す図である。
【図８】本発明の実施の形態２に係る加湿装置の、制御フローを示す図である。
【発明を実施するための形態】
【００１３】
以下、本発明に係る加湿装置について、図面を用いて説明する。
なお、各図において、同一部材又は同一部分には同一の符号を付している。
また、細かい構造については、適宜図示を簡略化又は省略している。
また、重複又は類似する説明については、適宜簡略化又は省略している。
【００１４】
実施の形態１．
実施の形態１に係る加湿装置について説明する。
（加湿装置の構成）
以下に、実施の形態１に係る加湿装置の構成について説明する。
図１は、実施の形態１に係る加湿装置の、構成を示す図である。
図２は、実施の形態１に係る加湿装置の、加湿素子周辺の構成を示す斜視図である。
図１、図２に示すように、加湿装置１は、加湿素子２と、ドレン容器３と、給水系４と、排水系５と、送風機６と、コントローラ７と、を有する。
コントローラ７は、本発明における「制御手段」に相当する。
【００１５】
加湿素子２は、１つでもよく、複数でもよい（図２では２つの場合を示す）。
加湿素子２の天部構造の両側の稜角部は、例えば、加湿装置１の内部に装架されたガイドレール等に、抜き差し自在に保持される。
ガイドレールは、例えば、加湿装置１の内部に設けられた仕切壁と、加湿装置１の筐体の正面側内壁面とに、装架される。
加湿素子２の下方には、ドレン容器３が設けられる。
加湿装置１が、空気調和装置等の他の装置に組み込まれる場合、空気調和装置等の他の装置と共用される場合等では、ドレン容器３と他の装置のドレン容器とが、兼用されてもよく、また、別々に設けられてもよい。
【００１６】
加湿素子２には、給水系４と排水系５とが接続される。
給水系４の入口側には、水道設備等の給水源８が接続される。
給水系４は、給水弁４ａを有し、給水源８からの水を加湿素子２に供給する。
給水系４には、ゴミ、塵の侵入を防ぐストレーナが設けられるとよい。
給水源８との接続部を除く給水系４の接続部の全てが、図２のように、ドレン容器３の上方に集約されるとよい。
給水弁４ａは、加湿素子２に供給される水の圧力と流量とを調節する調節弁である。
排水系５は、排水弁５ａを有し、加湿素子２の水をドレン容器３に排出する。
排水弁５ａは、開状態と閉状態とを切り替える切替弁である。
【００１７】
加湿素子２は、自然蒸発によって空気を加湿する自然蒸発式の加湿素子である。
加湿素子２は、多数の加湿機能体２ａを有する。
図３は、実施の形態１に係る加湿装置の、加湿素子の加湿機能体の構成を示す図である。
図３に示すように、加湿機能体２ａは、給水系４から水が供給される給水体２ｂと、給水体２ｂに接続され保水層として機能する導水体２ｃと、送気層を形成するためのスペーサ２ｄと、を有する。
導水体２ｃは、長方形又は正方形の導水部材を、水の通過を許容せず水蒸気の通過を許容する多孔性の透湿膜で形成された袋状の膜体で封入した、複合シート構造の扁平体である。
導水部材は、剛直性と通水性とを併せ持つ三次元多孔板である。
【００１８】
図２に示すように、加湿素子２は、スペーサ２ｄが、隣接する加湿機能体２ａの導水体２ｃのスペーサ２ｄが設けられた面と対向する面に当接するように、多数の加湿機能体２ａが積層された六面体である。
このような積層によって、空気を通す通風路として機能する送気層が、導水体２ｃ間に形成される。
【００１９】
送風機６は、その気流の進行方向が、加湿素子２の送気層と平行になるように、加湿素子２の上流側又は下流側に設けられる。
送風機６によって、加湿装置１の外部の空気は、加湿素子２に送り込まれる。
加湿素子２に送り込まれた空気は、加湿素子２の送気層を通過し、導水体２ｃの透湿膜を通過した水蒸気によって加湿される。
加湿された空気は、加湿装置１の外部へ吹き出される。
【００２０】
コントローラ７には、給水弁４ａと排水弁５ａと送風機６とが接続される。
コントローラ７は、設定部７ａと、制御部７ｂと、選択部７ｃと、を有する。
コントローラ７には、マイクロプロセッサ、シーケンサ等が含まれる。
設定部７ａは、排水系５の排水動作の時間間隔（以下「排水時間間隔」という）と、排水系５の１回の排水動作における排水量、つまり排水動作の時間（以下「排水時間」という）と、を設定する。
制御部７ｂは、設定部７ａで設定された排水時間間隔と排水時間とに基づいて、送風機６と給水弁４ａと排水弁５ａとを動作させる。
【００２１】
選択部７ｃは、複数の接点を有する切替スイッチである。
切替スイッチは、使用者、保守作業者等によって操作される。
図４は、実施の形態１に係る加湿装置の、切替スイッチの接点と、排水時間間隔と排水時間との組み合わせと、の対応関係を示す図である。
図４に示すように、切替スイッチの各接点は、予め設定された排水時間間隔と排水時間との組み合わせと、対応付けられている。
つまり、使用者、保守作業者等は、切替スイッチを操作することで、予め設定された排水時間間隔と排水時間との組み合わせを、選択することができる。
設定部７ａは、選択部７ｃの選択に応じて、排水時間間隔及び排水時間の少なくともいずれか一方を更新して設定する。
なお、図４では、接点が２つである場合を示しているが、接点が３つ以上であってもよい。
また、選択部７ｃが、ＯＮ／ＯＦＦスイッチで、ＯＦＦ状態では、接点１と同様の組み合わせが選択され、ＯＮ状態では、接点２と同様の組み合わせが選択されてもよい。
【００２２】
（加湿装置の制御フロー）
以下に、実施の形態１に係る加湿装置の制御フローについて説明する。
図５は、実施の形態１に係る加湿装置の、制御フローを示す図である。
なお、制御フローは、適宜変更することが可能である。
主電源がＯＮになると、ステップ５０１において、コントローラ７は、制御フローを開始する。
【００２３】
ステップ５０２において、制御部７ｂは、主電源がＯＦＦになっているか否かを判定する。
ＯＦＦになっている場合は、ステップ５０３に進み、ＯＦＦになっていない場合は、ステップ５０５に進む。
【００２４】
ステップ５０３において、制御部７ｂは、加湿装置１の終了処理を行って、ステップ５０４に進む。
終了処理において、制御部７ｂは、送風機６をＯＦＦにし、給水弁４ａを閉状態にし、排水弁５ａを開状態にする。
【００２５】
ステップ５０４において、コントローラ７は、制御フローを終了する。
【００２６】
ステップ５０５において、制御部７ｂは、送風機６をＯＮにし、ステップ５０６に進む。
【００２７】
ステップ５０６において、制御部７ｂは、加湿動作の要求があるか否かを判定する。
要求がない場合は、ステップ５０７に進み、要求がある場合は、ステップ５０８に進む。
【００２８】
ステップ５０７において、制御部７ｂは、給水弁４ａを閉状態にし、排水弁５ａを開状態にし、ステップ５０２に進む。
【００２９】
ステップ５０８において、設定部７ａは、排水時間間隔と排水時間とを設定して、ステップ５０９に進む。
設定部７ａは、選択部７ｃの選択に応じて、排水時間間隔と排水時間の少なくともいずれか一方を更新する。
【００３０】
ステップ５０９において、制御部７ｂは、給水弁４ａを開状態にし、排水弁５ａを閉状態にし、ステップ５１０に進む。
【００３１】
ステップ５１０において、制御部７ｂは、給水弁４ａが開状態で、排水弁５ａが閉状態である状態の継続時間、つまり、加湿動作の継続時間（以下「加湿動作継続時間」）を、設定部７ａで設定された排水時間間隔と比較し、加湿動作継続時間が設定された排水時間間隔を超えている場合は、ステップ５１１に進み、そうでなければステップ５０２に進む。
制御部７ｂは、加湿装置１が、送風機６のモータ回転数等、加湿動作の出力を変化させることができる場合には、出力の時間変化分を補正した加湿動作継続時間を算出する。
【００３２】
ステップ５１１において、制御部７ｂは、給水弁４ａを閉状態にし、排水弁５ａを開状態にし、ステップ５１２に進む。
【００３３】
ステップ５１２において、制御部７ｂは、給水弁４ａが閉状態で、排水弁５ａが開状態である状態の継続時間、つまり、排水動作の継続時間（以下「排水動作継続時間」）を、設定部７ａで設定された排水時間と比較し、排水動作継続時間が設定された排水時間を超えている場合は、ステップ５０９に進み、そうでなければステップ５１１に進む。
【００３４】
（加湿装置の作用）
以下に、実施の形態１に係る加湿装置の作用について説明する。
実施の形態１に係る加湿装置では、設定部７ａで設定された排水時間間隔毎に、加湿動作が強制的に停止状態となり、設定部７ａで設定された排水時間だけ、加湿素子２の排水動作が行われる。
そのため、加湿動作に伴ってスケール分の濃度が上昇した水が、スケール分の濃度の低い水に定期的に入れ換えられることとなり、透湿膜にスケール分が付着して加湿素子２の加湿性能が低下することが抑制される。
また、カビ、細菌等が繁殖して悪臭等が発生することが抑制される。
【００３５】
そして、実施の形態１に係る加湿装置では、排水時間間隔及び排水時間の少なくともいずれか一方を更新する設定部７ａを備える。
そのため、使用者、保守作業者等が選択部７ｃを操作することによって、水質、加湿動作の頻度等に応じた排水時間間隔と排水時間とが設定され、個々の加湿装置１に適切な加湿動作を行うことができる。
【００３６】
なお、実施の形態１に係る加湿装置では、設定部７ａが、排水時間間隔と排水時間とを両方設定しているが、排水時間間隔及び排水時間のいずれか一方のみを設定してもよい。
設定部７ａが、排水時間間隔と排水時間とを両方設定する場合には、相乗効果によって、個々の加湿装置１に更に適切な加湿動作を行うことができる。
【００３７】
（変形例）
加湿装置１では、加湿素子２が、加湿機能体２ａを積層したものであるが、加湿素子２が、他の構造の加湿素子であってもよい。
他の構造の加湿素子には、パイプ状の透湿膜が多数並設されたような加湿素子、例えば、パイプ状のＰＴＦＥ（ポリテトラフルオロエチレン）が多数並設されたような加湿素子等が含まれる。
加湿素子２が、加湿機能体２ａを積層したものである場合には、保水層と送気層とが密に形成された構造を簡易に得ることができる。
【００３８】
加湿装置１では、排水弁５ａが、切替弁であるが、排水弁５ａが、圧力と流量とを調節する調節弁であってもよい。
例えば、ドレン容器３が他の装置と共用される場合等において、制御部７ｂが、排水弁５ａの開度、つまり、排水系５から排出される水の流量を、ドレン容器３から水が溢れないように制御してもよい。
そのような場合には、例えば、排水系５に流量計が設けられる等によって、排水系５の排水量が検出され、設定部７ａでは、排水時間ではなく排水量そのものが設定される。
制御部７ｂは、排水量の検出結果を他の制御に流用してもよい。
排水弁５ａが切替弁である場合には、装置構成が簡略化される。
【００３９】
加湿装置１では、選択部７ｃが、切替スイッチであるが、選択部７ｃが、ソフトウェアのインターフェース等、他の選択手段であってもよい。
また、選択部７ｃが設けられず、使用者、保守作業者等が任意の排水時間間隔と排水時間とを入力部に入力してもよい。
選択部７ｃが設けられる場合には、使用者、保守作業者等によって誤入力されることが防止される。
【００４０】
加湿装置１では、コントローラ７が、加湿装置１に設けられているが、コントローラ７の一部又は全てが、加湿装置１の遠隔にある他の装置に設けられてもよい。
特に、選択部７ｃが遠隔にある他の装置に設けられる場合には、選択部７ｃの操作を遠隔地点から行うことができ、例えば、集中管理を行う場合等において、使用者、保守作業者等が排水時間間隔と排水時間とを選択する際の作業性が向上される。
【００４１】
実施の形態２．
実施の形態２に係る加湿装置について説明する。
なお、以下では、実施の形態１に係る加湿装置と重複又は類似する説明については、適宜簡略化又は省略している。
（加湿装置の構成）
以下に、実施の形態２に係る加湿装置の構成について説明する。
図６は、実施の形態２に係る加湿装置の、構成を示す図である。
図６に示すように、加湿装置１１は、加湿素子２と、ドレン容器３と、給水系４と、排水系５と、送風機６と、コントローラ１７と、計測手段１９と、を有する。
コントローラ１７は、本発明における「制御手段」に相当する。
【００４２】
計測手段１９は、加湿素子２を通過する空気の上流側の温度を検出する検出器１９ａと、加湿素子２を通過する空気の下流側の温度を検出する検出器１９ｂと、加湿素子２を通過する空気の流量を検出する検出器１９ｃと、である。
検出器１９ｃが設けられず、送風機６の仕様、モータ回転数等から加湿素子２を通過する空気の流量が算出されてもよい。
【００４３】
コントローラ１７には、給水弁４ａと排水弁５ａと送風機６と計測手段１９とが接続される。
コントローラ１７は、設定部１７ａと、制御部７ｂと、判定部１７ｄと、を有する。
設定部１７ａは、排水時間間隔と排水時間とを設定する。
【００４４】
図７は、実施の形態２に係る加湿装置の、設定部に記憶されたデータを示す図である。
図７に示すように、設定部１７ａは、排水時間間隔と排水時間との組み合わせがテーブル化されたデータを記憶する。
排水時間間隔と排水時間との組み合わせは、水の消費が少ない順にランク付けされてテーブル化される。
なお、図７では、ランクが１〜１０である場合を示しているが、そのような場合に限定されない。
【００４５】
判定部１７ｄは、検出器１９ａと検出器１９ｂで検出された温度の差と、検出器１９ｃで検出された空気の流量と、から加湿量を求める。
加湿量Ｍ［ｋｇ／ｈｒ］は、その温度の差をΔＴ［Ｋ］、その空気の流量をＱ［ｋｇ／ｈｒ］、空気の定圧比熱をＣ［Ｊ／ｋｇＫ］、水の蒸発潜熱をＬ［Ｊ／ｋｇ］とし、加湿素子２の上流側と下流側における顕熱差と加湿時に水が奪う蒸発潜熱量とが等しいとして、以下の（式１）で概算される。
【００４６】
【数１】
2014085027.tif 000003
【００４７】
判定部１７ｄは、加湿動作の積算時間毎に予め設定された基準加湿量を記憶する。
判定部１７ｄは、加湿装置１１の加湿動作の積算時間を計測する。
判定部１７ｄは、加湿装置１１が、送風機６のモータ回転数等、加湿動作の出力を変化させることができる場合には、出力の時間変化分を補正した積算時間を算出する。
積算時間は、加湿素子２が交換された場合には、リセットされる。
判定部１７ｄは、計測された積算時間に対応する基準加湿量を特定し、（式１）で概算された加湿量、つまり実測加湿量と、特定された基準加湿量と、を比較して、加湿素子２の劣化度の大小を判定する。
設定部１７ａは、判定部１７ｄにおける劣化度の判定結果に応じて、排水時間間隔と排水時間とを更新する。
【００４８】
（加湿装置の制御フロー）
以下に、実施の形態２に係る加湿装置の制御フローについて説明する。
図８は、実施の形態２に係る加湿装置の、制御フローを示す図である。
なお、制御フローは、適宜変更することが可能である。
ステップ８０１〜８０７、８１２〜８１５は、図５におけるステップ５０１〜５０７、５０９〜５１２と同様である。
【００４９】
ステップ８０８において、設定部１７ａは、排水時間間隔と排水時間とを設定して、ステップ８０９に進む。
排水時間間隔と排水時間とは、直前の加湿動作時に設定された排水時間間隔と排水時間とである。
設定部１７ａは、加湿装置１１の加湿動作の積算時間が０である場合、又は、加湿素子２が交換された後の加湿装置１１の加湿動作の積算時間が０である場合には、最も小さいランクを選択し、そのランクに対応する組み合わせの排水時間間隔と排水時間とを設定する。
【００５０】
ステップ８０９において、判定部１７ｄは、前回の判定からの経過時間（以下「判定後経過時間」）と予め設定された判定の時間間隔（以下「判定時間間隔」という）とを比較し、判定後経過時間が判定時間間隔を超えている場合は、ステップ８１０に進み、そうでなければ、ステップ８１２に進む。
判定時間間隔が短く設定されると、排水時間間隔と排水時間とが更新されることによる加湿素子２の劣化度の改善効果が発揮される前に、次の更新が行われてしまう。
そのため、判定時間間隔は、排水時間間隔と排水時間とが更新されることによる加湿素子２の劣化度の改善効果が発揮される程度の時間間隔に設定される必要がある。
【００５１】
ステップ８１０において、判定部１７ｄは、加湿素子２の劣化度の大小を判定し、劣化度が大きい場合は、ステップ８１１に進み、そうでなければ、ステップ８１２に進む。
判定部１７ｄは、実測加湿量と基準加湿量とを比較して、実測加湿量が基準加湿量を超えている場合に、加湿素子２の劣化度が大きいと判定する。
【００５２】
ステップ８１１において、設定部１７ａは、ステップ８０８で設定された排水時間間隔と排水時間との組み合わせに対応するランクから、水の消費が増加する側に選択するランクを１つ上げ、そのランクに対応する組み合わせの排水時間間隔と排水時間とに、排水時間間隔と排水時間とを更新し、ステップ８１２に進む。
【００５３】
（加湿装置の作用）
以下に、実施の形態２に係る加湿装置の作用について説明する。
実施の形態２に係る加湿装置では、設定部１７ａは、適切な排水時間間隔と排水時間とを、人を介在させずに自動で設定する。
そのため、使用者、保守作業者等が排水時間間隔と排水時間とを選択する必要がない。
【００５４】
また、実施の形態２に係る加湿装置では、設定部１７ａが、排水時間間隔と排水時間との組み合わせをランク付けして記憶し、ランクを選択することで排水時間間隔と排水時間とを設定する。
そのため、設定部１７ａの処理が、簡略化される。
【００５５】
また、実施の形態２に係る加湿装置では、設定部１７ａは、実測に基づいて排水時間間隔と排水時間とを設定する。
そのため、使用者、保守作業者等によって選択される場合と比較して、更に適切な排水時間間隔と排水時間とが設定される。
【００５６】
（変形例）
加湿装置１１では、判定部１７ｄが、判定後経過時間と判定時間間隔とを比較しているが、判定部１７ｄが、前回の判定からの加湿動作又は排水動作の積算時間と、予め設定された加湿動作又は排水動作の積算時間に対する判定の時間間隔と、を比較してもよい。
そのような場合には、加湿動作又は排水動作の積算時間に対する判定の時間間隔は、例えば、１００時間程度に設定される。
なお、判定部１７ｄは、加湿装置１１が、送風機６のモータ回転数、排水弁５ａの開度等、加湿動作又は排水動作の出力を変化させることができる場合には、出力の時間変化分を補正した積算時間を算出する。
【００５７】
加湿装置１１では、計測手段１９が、加湿素子２を通過する空気の上流側の温度を検出する検出器１９ａと、加湿素子２を通過する空気の下流側の温度を検出する検出器１９ｂと、加湿素子２を通過する空気の流量を検出する検出器１９ｃと、であるが、計測手段１９が、加湿素子２を通過する空気の上流側の温湿度を検出する検出器と、加湿素子２を通過する空気の下流側の温湿度を検出する検出器と、であってもよい。
また、計測手段１９が、加湿動作中に加湿素子２から空気に供給された水蒸気の量、つまり、加湿動作中に給水系４が加湿素子２に供給した水の量を検出する検出器であってもよい。
また、互いに方式の異なる複数の計測手段１９が、共用されてもよい。
【００５８】
加湿装置１１では、判定部１７ｄが、計測手段１９の実測に基づいて劣化度の大小を判定しているが、計測手段１９が設けられず、判定部１７ｄが、加湿装置１１が使用される地域等の情報を、例えば通信回線等を介して入手し、その情報に基づいて劣化度を推定し、その推定された劣化度の大小を判定してもよい。
判定部１７ｄが、計測手段１９の実測に基づいて劣化度の大小を判定する場合には、更に適切な排水時間間隔と排水時間とが設定される。
【００５９】
加湿装置１１では、設定部１７ａが、劣化度が大きい場合に、水の消費が増加する側に選択するランクを１つ上げているが、設定部１７ａが、劣化度がどの程度大きいかに応じてランクの上げ幅を変化させてもよい。
また、設定部１７ａが、劣化度が小さい場合に、水の消費が減少する側に選択するランクを下げてもよい。
【００６０】
コントローラ１７が、実施の形態１に係る加湿装置のように、選択部７ｃを有してもよい。
そのような場合には、コントローラ１７は、例えば、使用者、保守作業者等が選択部７ｃを操作しない場合に、判定部１７ｄを機能させる。
【００６１】
以上、実施の形態１及び実施の形態２について説明したが、本発明は各実施の形態の説明に限定されない。
例えば、各実施の形態又は各変形例を組み合わせることも可能である。
【符号の説明】
【００６２】
１、１１  加湿装置、２  加湿素子、２ａ  加湿機能体、２ｂ  給水体、２ｃ  導水体、２ｄ  スペーサ、３  ドレン容器、４  給水系、４ａ  給水弁、５  排水系、５ａ  排水弁、６  送風機、７、１７  コントローラ、７ａ、１７ａ  設定部、７ｂ  制御部、７ｃ  選択部、１７ｄ  判定部、８  給水源、１９  計測手段、１９ａ、１９ｂ、１９ｃ  検出器。
【図１】
2014085027.tif 000004
【図２】
2014085027.tif 000005
【図３】
2014085027.tif 000006
【図４】
2014085027.tif 000007
【図５】
2014085027.tif 000008
【図６】
2014085027.tif 000009
【図７】
2014085027.tif 000010
【図８】
2014085027.tif 000011